(57)【要約】【課題】光学装置を確実に接地できるプロジェクターを提供する。【解決手段】画像を投射するプロジェクターであって、画像を形成する光学装置（電気光学装置）と、当該プロジェクター内部にて接地された金属部材（板状部材５３）と、を備え、光学装置は、入射される複数の色光をそれぞれ変調する複数の光変調装置（液晶パネル）と、複数の光変調装置がそれぞれ取り付けられ、複数の光変調装置により変調された複数の色光を合成する色合成装置と、導電性を有し、色合成装置を支持する支持部材（プリズムベース６）と、を有し、支持部材は、金属部材と導通している。【選択図】図４
2015184354.tif 000002
【特許請求の範囲】
【請求項１】
画像を投射するプロジェクターであって、
前記画像を形成する光学装置と、
当該プロジェクター内部にて接地された金属部材と、を備え、
前記光学装置は、
入射される複数の色光をそれぞれ変調する複数の光変調装置と、
前記複数の光変調装置がそれぞれ取り付けられ、前記複数の光変調装置により変調された前記複数の色光を合成する色合成装置と、
導電性を有し、前記色合成装置を支持する支持部材と、を有し、
前記支持部材は、前記金属部材と導通していることを特徴とするプロジェクター。
【請求項２】
請求項１に記載のプロジェクターにおいて、
前記支持部材が取り付けられる取付部材を備え、
前記支持部材と前記金属部材との接続方向は、前記取付部材への前記支持部材の取付方向と略平行であることを特徴とするプロジェクター。
【請求項３】
請求項１又は請求項２に記載のプロジェクターにおいて、
前記支持部材及び前記金属部材の間に介装され、導電性を有する弾性部材を備えることを特徴とするプロジェクター。
【請求項４】
請求項３に記載のプロジェクターにおいて、
前記支持部材及び前記金属部材の一方は、他方に対向する面に前記弾性部材を収納する凹部を有し、
前記支持部材及び前記金属部材の他方は、前記凹部に挿入され、前記弾性部材を押圧する挿入部を有することを特徴とするプロジェクター。
【請求項５】
請求項４に記載のプロジェクターにおいて、
前記支持部材が取り付けられる取付部材を備え、
前記支持部材は、前記凹部が形成され、かつ、前記取付部材に当接する当接面を有し、
前記弾性部材は、前記取付部材への前記支持部材の取付方向に、前記支持部材及び前記金属部材の間で押圧されることを特徴とするプロジェクター。
【請求項６】
請求項１から請求項５のいずれか１項に記載のプロジェクターにおいて、
前記支持部材は、前記金属部材との導通位置を少なくとも除く表面に非導電処理が施されることを特徴とするプロジェクター。
【請求項７】
請求項１から請求項６のいずれか１項に記載のプロジェクターにおいて、
前記色合成装置により合成された光を投射する投射光学装置と、
前記投射光学装置の中心軸に対する直交方向に前記投射光学装置を移動させる移動装置と、を備え、
前記金属部材は、前記移動装置を構成し、
前記支持部材は、前記移動装置に取り付けられることを特徴とするプロジェクター。
【発明の詳細な説明】
【技術分野】
【０００１】
本発明は、プロジェクターに関する。
【背景技術】
【０００２】
従来、光源装置と、当該光源装置から出射された三色の色光をそれぞれ変調する光変調装置である複数の液晶パネルと、変調された各色光を合成する色合成装置としてのクロスダイクロイックプリズムと、合成された光を投射する投射光学装置としての投射レンズと、を備えたプロジェクターが知られている（例えば、特許文献１参照）。
この特許文献１に記載されるプロジェクターは、液晶パネル及びクロスダイクロイックプリズムを支持する支持部材としてのヘッド体と、ヘッド体に設けられ、投射レンズの位置を調整して画像の投射位置を調整する投射レンズ位置調整機構とを備える。
【先行技術文献】
【特許文献】
【０００３】
【特許文献１】特開２００６−１８２４７号公報
【発明の概要】
【発明が解決しようとする課題】
【０００４】
ここで、ヘッド体を、例えばアルミダイカスト等で形成した金属部材とすることで、支持部材としてのヘッド体の強度を確保でき、当該ヘッド体の信頼性を向上できる。
一方、プロジェクターの軽量化を考慮して、投射位置調整装置を樹脂により構成することが考えられる。しかしながら、このような場合、ヘッド体を接地させることができず、当該ヘッド体に設置されたクロスダイクロイックプリズム、ひいては、当該クロスダイクロイックプリズムと一体化される液晶パネルがいわゆる電気的に浮いた状態となるという問題がある。
【０００５】
本発明は、光学装置を確実に接地できるプロジェクターを提供することを目的の一つとする。
【課題を解決するための手段】
【０００６】
本発明の一態様に係るプロジェクターは、画像を投射するプロジェクターであって、前記画像を形成する光学装置と、当該プロジェクター内部にて接地された金属部材と、を備え、前記光学装置は、入射される複数の色光をそれぞれ変調する複数の光変調装置と、前記複数の光変調装置がそれぞれ取り付けられ、前記複数の光変調装置により変調された前記複数の色光を合成する色合成装置と、導電性を有し、前記色合成装置を支持する支持部材と、を有し、前記支持部材は、前記金属部材と導通していることを特徴とする。
【０００７】
なお、光変調装置としては、液晶パネルを例示でき、色合成装置としては、クロスダイクロイックプリズムを例示できる。
上記一態様によれば、プロジェクター内部にて接地された金属部材と、色合成装置を支持する支持部材とを導通させることができる。従って、支持部材、ひいては、光学装置を接地できるので、当該光学装置が帯電することを抑制できる。
【０００８】
上記一態様では、前記支持部材が取り付けられる取付部材を備え、前記支持部材と前記金属部材との接続方向は、前記取付部材への前記支持部材の取付方向と略平行であることが好ましい。
ここで、取付部材への支持部材の取付方向と、支持部材と金属部材との接続方向が異なる場合には、何等かの理由により、取付部材に取り付けられたまま支持部材が動いた場合に、支持部材と金属部材との電気的な接触が解消されてしまう可能性がある。
これに対し、上記一態様によれば、支持部材と金属部材との接続方向と、取付部材への支持部材の取付方向とが略平行であるので、取付部材に取り付けられた支持部材と金属部材とを確実に導通させることができる。従って、支持部材、ひいては、光学装置をより確実に接地できる。
【０００９】
上記一態様では、前記支持部材及び前記金属部材の間に介装され、導電性を有する弾性部材を備えることが好ましい。
上記一態様によれば、支持部材及び金属部材が、導電性を有する弾性部材を介して接触することで、当該弾性部材がない場合に比べて、支持部材と金属部材とをより確実に導通させることができる。従って、支持部材、ひいては、光学装置をより確実に接地できる。
【００１０】
上記一態様では、前記支持部材及び前記金属部材の一方は、他方に対向する面に前記弾性部材を収納する凹部を有し、前記支持部材及び前記金属部材の他方は、前記凹部に挿入され、前記弾性部材を押圧する挿入部を有することが好ましい。
上記一態様によれば、弾性部材が凹部に収納された状態で、支持部材及び金属部材に押圧されるので、弾性部材の脱落を抑制できる。従って、支持部材、ひいては、光学装置をより確実に接地できる。また、凹部内に収納された弾性部材が挿入部により押圧されるので、当該弾性部材の弾性変形により、部品公差を吸収でき、これにより、支持部材と金属部材との導通を確実に図ることができる。
【００１１】
上記一態様では、前記支持部材が取り付けられる取付部材を備え、前記支持部材は、前記凹部が形成され、かつ、前記取付部材に当接する当接面を有し、前記弾性部材は、前記取付部材への前記支持部材の取付方向に、前記支持部材及び前記金属部材の間で押圧されることが好ましい。
上記一態様によれば、弾性部材は、支持部材の取付方向に沿って、支持部材及び金属部材の間で押圧されるので、支持部材と金属部材との導通を確実に図ることができ、支持部材、ひいては、光学装置をより確実に接地できる。
また、支持部材を取り付ける際に、支持部材の取付方向に沿って挿入部が挿入されて弾性部材が当該取付方向に押圧される。このため、支持部材の取り付けを行うとともに、支持部材と金属部材との導通を図ることができる。
【００１２】
上記一態様では、前記支持部材は、前記金属部材との導通位置を少なくとも除く表面に非導電処理が施されることが好ましい。
ここで、非導電性の保護膜とは、例えば金属材料の表面に形成された酸化被膜が挙げられる。より具体的には、金属材料としてアルミニウムを使用する場合、非導電性の保護膜としては、当該アルミニウムの表面にアルマイト処理を施すことで形成された酸化アルミニウム被膜を例示できる。
上記一態様によれば、支持部材の表面を保護膜で覆うことにより、支持部材の耐腐食性を向上させることができる。従って、プロジェクターの長寿命化を図りつつ、光学装置を確実に接地できる。
【００１３】
上記一態様では、前記色合成装置により合成された光を投射する投射光学装置と、前記投射光学装置の中心軸に対する直交方向に前記投射光学装置を移動させる移動装置と、を備え、前記金属部材は、前記移動装置を構成し、前記支持部材は、前記移動装置に取り付けられることが好ましい。
上記一態様によれば、支持部材を移動装置に取り付けることにより、投射光学装置に対する支持部材の位置合わせと、支持部材の接地とを同時に行うことができる。また、金属部材は、移動装置を構成する部材であるので、支持部材と接続される金属部材を別途設ける必要がない。このため、部品点数の増加を抑制できる。
【図面の簡単な説明】
【００１４】
【図１】本発明の一実施形態に係るプロジェクターの外観構成を示す模式図。
【図２】上記実施形態におけるプロジェクターの内部構成を示す模式図。
【図３】上記実施形態における投射位置調整装置及び電気光学装置を示す斜視図。
【図４】上記実施形態における投射位置調整装置、プリズムベース及び弾性部材を示す斜視図。
【図５】上記実施形態におけるプリズムベースを示す正面図。
【図６】上記実施形態におけるプリズムベースを示す上面図。
【図７】上記実施形態におけるプリズムベースを示す断面図。
【図８】上記実施形態における投射位置調整装置及び電気光学装置を示す背面図。
【図９】上記実施形態における投射位置調整装置及び電気光学装置を示す断面図。
【発明を実施するための形態】
【００１５】
以下、本発明の実施の一形態を図面に基づいて説明する。
［プロジェクターの外観構成］
図１は、本実施形態に係るプロジェクター１の外観を示す斜視図である。具体的に、図１は、設置台等に設置されたプロジェクター１を正面側上方から見た斜視図である。
本実施形態に係るプロジェクター１は、光源から射出された光束を画像情報に応じて変調して画像光を形成し、形成した画像光をスクリーン等の被投射面（図示省略）上に拡大投射する。このプロジェクター１は、図１に示すように、外装を構成する外装筐体２を備える。
【００１６】
外装筐体２は、金属又は合成樹脂製の筐体であり、プロジェクター１の装置本体１０（図２参照）を収納する。この外装筐体２は、アッパーケース２１及びロアーケース２２が組み合わされて構成されている。これらのうち、アッパーケース２１は、外装筐体２における天面部２Ａと、正面部２Ｃ、背面部２Ｄ及び左右の側面部２Ｅ，２Ｆの一部とを構成し、ロアーケース２２は、外装筐体２における底面部２Ｂと、正面部２Ｃ、背面部２Ｄ及び左右の側面部２Ｅ，２Ｆの一部とをそれぞれ構成する。
【００１７】
正面部２Ｃは、後述する投射レンズ３の一部を露出させる開口部２Ｃ１を有する。
天面部２Ａは、後述する投射位置調整装置５を構成する第１のダイヤル５１及び第２のダイヤル５２を露出させる開口部２Ａ１，２Ａ２を有する。これらダイヤル５１，５２が使用者により回転操作されると、投射レンズ３が上下方向（天面部２Ａと底面部２Ｂとを結ぶ方向）及び左右方向（左側面部２Ｅと右側面部２Ｆとを結ぶ方向）に移動し、これにより、被投射面上の画像の投射位置が調整される。このような投射位置調整装置５の構造については、後に詳述する。
【００１８】
［内部構成］
図２は、プロジェクター１の内部構成を示す模式図である。
外装筐体２の内部には、図２に示す装置本体１０が収納されている。この装置本体１０は、本発明の投射光学装置に相当する投射レンズ３と、光学ユニット４と、本発明の移動装置に相当する投射位置調整装置５と、を備える。この他、図示を省略するが、装置本体１０は、プロジェクター１の冷却対象を冷却する冷却装置、プロジェクター１の各構成部品に電力を供給する電源装置、及び、プロジェクター１の動作を制御する制御装置を備える。
【００１９】
［投射レンズの構成］
投射レンズ３は、図１に示すように、外装筐体２の正面部２Ｃから先端が露出し、光学ユニット４にて形成された画像光を上記被投射面上に拡大投射する投射光学装置である。
この投射レンズ３は、鏡筒３１内に複数のレンズが収納された組レンズとして構成されており、後述する投射位置調整装置５に支持される。
【００２０】
［光学ユニットの構成］
光学ユニット４は、上記制御装置による制御の下、光源から出射された光束を光学的に処理して画像情報に対応した画像光を形成する。この光学ユニット４は、図２に示すように、光源装置４１と、照明光学装置４２と、色分離光学装置４３と、リレー光学装置４４と、電気光学装置４５と、これら光源装置４１及び各光学装置４２〜４５を収納する光学部品用筐体４６とを備える。
これらのうち、光学部品用筐体４６は、それぞれ合成樹脂又は金属により形成された部品収納部材４６１及び蓋状部材（図示省略）が組み合わされて構成される筐体である。
部品収納部材４６１は、各装置４１〜４４、並びに、電気光学装置４５のフィールドレンズ４５１及び入射側偏光板４５２を内部に収納する。この部品収納部材４６１内に当該光学部品を収納するための開口部は、蓋状部材により閉塞される。
【００２１】
光源装置４１は、光源ランプ４１１及びリフレクタ４１２等を備える。この光源装置４１は、光源ランプ４１１から出射された光の出射方向をリフレクタ４１２によって揃えた上で、当該光を照明光学装置４２に向けて出射する。
【００２２】
照明光学装置４２は、光源装置４１から入射される光の中心軸に対する直交面内の照度を均一化する。この照明光学装置４２は、第１レンズアレイ４２１、第２レンズアレイ４２２、偏光変換素子４２３、及び重畳レンズ４２４を備える。
第１レンズアレイ４２１は、入射される光束を複数の部分光束に分割し、第２レンズアレイ４２２は、第１レンズアレイ４２１から入射される複数の部分光束のそれぞれを、重畳レンズ４２４とともに後述する液晶パネル４５３に重畳させる。
偏光変換素子４２３は、入射される光の偏光方向を一種類に揃える。
【００２３】
色分離光学装置４３は、ダイクロイックミラー４３１，４３２及び反射ミラー４３３を備え、これらにより照明光学装置４２から入射される光束を、赤（Ｒ）、緑（Ｇ）及び青（Ｂ）の３つの色光に分離する。
リレー光学装置４４は、入射側レンズ４４１、リレーレンズ４４３及び反射ミラー４４２，４４４を備え、色分離光学装置４３で分離された赤色光を赤色光用のフィールドレンズ４５１に導く機能を有する。
【００２４】
電気光学装置４５は、本発明の光学装置に相当し、入射される各色光をそれぞれ変調して、上記制御装置から入力される画像情報に応じた画像を形成する。この電気光学装置４５は、それぞれ上記色光毎に設けられるフィールドレンズ４５１、入射側偏光板４５２、光変調装置としての液晶パネル４５３（赤、緑及び青用の液晶パネルを、それぞれ４５３Ｒ，４５３Ｇ，４５３Ｂとする）及び出射側偏光板４５４と、１つの色合成装置４５５と、保持部材４７と、当該色合成装置４５５を支持して投射位置調整装置５に固定するプリズムベース６（図３参照）とを備える。これらのうち、液晶パネル４５３と、色合成装置４５５と、保持部材４７と、プリズムベース６とは、一体化されている。
色合成装置４５５は、本実施形態では、４つの直角プリズムを貼り合わせた平面視略正方形状をなすクロスダイクロイックプリズムである。この色合成装置４５５は、各直角プリズムの界面に形成された２つの誘電体多層膜により、それぞれ対応する液晶パネル４５３により変調された各色光を合成する。このような色合成装置４５５により合成された光（画像を形成する光）は、投射レンズ３に対向する光出射面４５５Ａを介して、当該投射レンズ３に入射される。
【００２５】
図３は、投射レンズ３を保持する投射位置調整装置５に電気光学装置４５が取り付けられている状態を示す斜視図である。
以下の説明では、Ｚ方向は、色合成装置４５５から投射レンズ３に入射される光の進行方向を示し、Ｘ方向及びＹ方向は、当該Ｚ方向に直交するとともに互いに直交する方向を示す。本実施形態では、プロジェクター１が所定の設置面に載置されて、Ｚ方向が水平方向に沿う場合に、Ｙ方向は、鉛直方向に沿って下から上に向かう方向（底面部２Ｂから天面部２Ａに向かう方向）とし、Ｘ方向は、Ｚ方向に沿って見た場合に水平方向に沿って左から右に向かう方向（右側面部２Ｆから左側面部２Ｅに向かう方向）とする。更に、Ｚ方向側とは、Ｚ方向における下流側（Ｚ方向先端側）を指し、Ｚ方向とは反対側とは、Ｚ方向における上流側（Ｚ方向基端側）を指す。他の方向も同様である。
上記電気光学装置４５において、各液晶パネル４５３及び各出射側偏光板４５４は、保持部材４７により、対応する色合成装置４５５の光入射面に対向配置される。
【００２６】
具体的に、図３に示すように、赤色用の液晶パネル４５３Ｒ及び出射側偏光板４５４（図２参照）は、色合成装置４５５において赤色光が入射される光入射面４５５Ｒ（図２参照）に取り付けられる保持部材４７Ｒにより、当該光入射面４５５Ｒに対向配置される。また、緑色用の液晶パネル４５３Ｇ及び出射側偏光板４５４は、色合成装置４５５において緑色光が入射される光入射面４５５Ｇ（図２参照）に取り付けられる保持部材４７Ｇにより、当該光入射面４５５Ｇに対向配置される。更に、図３では図示を省略したが、青色用の液晶パネル４５３Ｂ及び出射側偏光板４５４は、色合成装置４５５において青色光が入射される光入射面４５５Ｂ（図２参照）に取り付けられる保持部材４７Ｂにより、当該光入射面４５５Ｂに対向配置される。
このような保持部材４７は、例えば、液晶パネル４５３Ｒ、出射側偏光板４５４及び光入射面４５５Ｒのそれぞれの間に、これら液晶パネル４５３Ｒ及び出射側偏光板４５４を冷却する冷却空気が流通する流路が形成されている。すなわち、液晶パネル４５３Ｒ、出射側偏光板４５４及び光入射面４５５Ｒは、それぞれ互いに所定の間隔を隔てて配置される。他の液晶パネル４５３Ｇ，４５３Ｂ等も同様である。
【００２７】
プリズムベース６は、本発明の支持部材に相当し、上記保持部材４７により各液晶パネル４５３及び出射側偏光板４５４が取り付けられた色合成装置４５５を、投射位置調整装置５に固定する。具体的に、プリズムベース６は、側面視略Ｌ字状に形成されている。このプリズムベース６の一端が、色合成装置４５５において各光入射面４５５Ｒ，４５５Ｇ，４５５Ｂ及び光出射面４５５Ａに交差する一対の端面のうちの一方（Ｙ方向側の端面）に接着剤等により固定されている。また、プリズムベース６の他端が投射位置調整装置５の本発明の取付部材に相当する支持体５４に固定される。このようなプリズムベース６により、光出射面４５５Ａと、投射レンズ３における光入射側の端部とが互いに対向するように、色合成装置４５５が配置される。
このプリズムベース６は、金属材料で形成されており、後述する導電性を有する弾性部材７を介して投射位置調整装置５の金属部材に導通している。プリズムベース６の詳細な構成、及び投射位置調整装置５とプリズムベース６との間の固定構造については後に詳述する。
【００２８】
［投射位置調整装置の構成］
投射位置調整装置５は、投射レンズ３を鉛直面内で移動させることで当該投射レンズ３による投射位置を調整する。
投射位置調整装置５は、図３に示すように、第１のダイヤル５１及び第２のダイヤル５２を回転可能に支持する金属製の板状部材５３（本発明の金属部材に相当）と、当該板状部材５３を支持する支持体５４とを備える。この他、図示を省略するが、投射位置調整装置５は、支持体５４により、Ｘ方向に沿って摺動可能に支持される第１移動部材と、Ｙ方向に沿って摺動可能に支持される第２移動部材と、を備え、これら第１移動部材及び第２移動部材のいずれかにより、投射レンズ３の鏡筒３１が保持される。
そして、第１のダイヤル５１が利用者により回転操作されると、第１移動部材及び投射レンズ３が、Ｘ方向、又は、当該Ｘ方向とは反対方向に移動する。これにより、投射レンズ３による画像の投射位置が、Ｘ方向において調整される。
また、第２のダイヤル５２が利用者により回転操作されると、第２移動部材及び投射レンズ３が、Ｙ方向、又は、当該Ｙ方向とは反対方向に移動する。これにより、投射レンズ３による画像の投射位置が、Ｙ方向において調整される。
【００２９】
図４は、投射位置調整装置５、プリズムベース６及び弾性部材７を分解して示す斜視図である。
板状部材５３は、支持体５４のＹ方向側の端面にねじにより固定される。この板状部材５３では、Ｚ方向と反対側で、かつＸ方向に沿う端縁が、Ｙ方向とは反対方向に向かって折曲している。この折曲部分では、Ｘ方向の中央部分に対してＸ方向側にずれた位置に、Ｙ方向と反対側に向かって突出した挿入部５３１が設けられる。この挿入部５３１は、後に詳述するが、プリズムベース６の凹部６１７に挿入されプリズムベース６との間で弾性部材７を押圧する。この板状部材５３は、図示を省略するが、外装筐体２内に設定されたグランドに接続（接地）されている。
【００３０】
支持体５４は、樹脂製の部材であり、投射レンズ３が挿入される開口部５４１を略中央に有する。
この支持体５４における光入射側（Ｚ方向とは反対側）の端面５４Ａには、図３に示すようにプリズムベース６がねじにより固定される。この端面５４Ａには、図４に示すように、開口部５４１のＹ方向側の位置に複数のねじ穴５４２が形成されている他、Ｘ方向とは反対側に挿入口５４５が形成され、Ｘ方向側に挿入口５４６が形成されている。これら挿入口５４５，５４６には、プリズムベース６の後述する突出部６１５，６１６（図５〜図７参照）が挿入される。
【００３１】
［プリズムベースの構成］
プリズムベース６は、上述のように導電性を有する金属材料で形成され、支持体５４に固定される固定部６１と、当該固定部６１からＺ方向とは反対側に延出した後、Ｙ方向とは反対側に延出する延出部６２と、当該延出部６２の先端部に設けられ、上記各部材４５１〜４５４を支持する支持部６３とを有する。
【００３２】
固定部６１は、図４の一点鎖線で示すように、プリズムベース６が支持体５４に取り付けられた際に、固定部６１のＺ方向側の当接面６１１において支持体５４に当接する。この当接面６１１は、プリズムベース６の支持体５４に対する取付方向（すなわちＺ方向）に交差する面、特に本実施形態では直交する面である。また、当接面６１１は、色合成装置４５５の光の出射方向（すなわちＺ方向）に対しても直交する。
【００３３】
図５は、プリズムベース６をＺ方向とは反対方向に見た正面図である。また、図６は、プリズムベース６をＹ方向とは反対方向に見た上面図である。
固定部６１は、図５及び図６に示すように、Ｘ方向における中心位置に貫通口６１２を有する。また、固定部６１は、貫通口６１２をＸ方向に挟む２つの貫通口６１３，６１４を有する。各貫通口６１２，６１３，６１４は、それぞれ、支持体５４に設けられたねじ穴５４２，５４３，５４４に対応する位置に設けられている。
当接面６１１には、貫通口６１３のＹ方向とは反対側の位置に（図５参照）、Ｚ方向に突出して、上述の挿入口５４５に挿入される突出部６１５が設けられている。同様に、当接面６１１において、貫通口６１４のＹ方向とは反対側の位置に（図５参照）、挿入口５４６に挿入される突出部６１６が設けられている。
【００３４】
図７は、プリズムベース６を図６に示すＶＩＩ−ＶＩＩ線で切断した断面図である。また、図８は、プリズムベース６を支持体５４の取り付け位置に配置された投射位置調整装置５をＺ方向に向かって見た背面図である。
上述の固定部６１は、図５、図６及び図７に示すように、当接面６１１からＺ方向と反対側に向かって設けられた凹部６１７を有する。凹部６１７は、図８に示すように、プリズムベース６が支持体５４に取り付けられた際に、挿入部５３１が挿入される。
凹部６１７は、ＸＹ平面に沿う底面部６１８と、当該底面部６１８からＺ方向に突出し、Ｘ方向に沿う凸部６１９とを有し、Ｙ方向側に開口している。Ｚ方向における凹部６１７の深さ寸法（すなわち、当接面６１１からＸＹ平面に沿った底面部６１８までの寸法）は、挿入部５３１のＺ方向の寸法よりも大きく、挿入部５３１が挿入された際に底面部６１８及び凸部６１９と挿入部５３１との間にクリアランスが形成される程度の寸法に設定される。
【００３５】
延出部６２は、固定部６１のＸ方向における中心部からＺ方向と反対方向に向かうに従って、Ｙ方向と反対方向に向かって傾斜する。
支持部６３には、電気光学装置４５を構成する各部材４５１〜４５４が取り付けられ、これらを支持する。
このようなプリズムベース６は、ダイカスト合金により形成され、凹部６１７を除く表面には、酸化被膜が形成される。例えば、プリズムベース６をアルミニウム合金で形成した場合、当該プリズムベース６の凹部６１７を除く表面にアルマイト処理を施して、アルミニウムの陽極酸化被膜を形成する。これにより、プリズムベース６の耐食性を向上させることができる。
【００３６】
［弾性部材］
図９は、図８のＩＸ−ＩＸ線において、投射位置調整装置５、プリズムベース６及び弾性部材７を切断した際の断面を示す断面図である。
弾性部材７は、図９に示すように、導電性を有する材料により形成され、挿入部５３１と固定部６１との間に配置される。具体的に、弾性部材７は、上記凹部６１７内に配置される。この弾性部材７は、プリズムベース６が支持体５４にＺ方向（取付方向）に沿って取り付けられた際に、挿入部５３１と凹部６１７の底面部６１８（特に底面部６１８に設けられた凸部６１９）とによりＺ方向に沿って押圧されて弾性変形し、これにより、板状部材５３とプリズムベース６とを電気的に接続する。このような弾性部材７は、例えば、導電性高分子を用いた導電性樹脂材料や、非導電性高分子に無機導電体を充填した導電性複合材料等の、導電性及び弾性を備える樹脂材料を用いて形成される。
【００３７】
上記弾性部材７は、Ｚ方向の寸法が、プリズムベース６が支持体５４に取り付けられた際の底面部６１８と挿入部５３１との間の寸法よりも大きい。なお、本実施形態では、弾性部材７のＺ方向の寸法が、底面部６１８と挿入部５３１との間の寸法よりも大きい構成としたが、少なくとも凸部６１９と挿入部５３１との間の寸法よりも大きければよい。これにより、凸部６１９と挿入部５３１との間で弾性部材７を挟持することができる。
【００３８】
［プリズムベースの取り付け］
プリズムベース６は、図８に示すように、各貫通口６１２，６１３，６１４が、支持体５４の端面５４Ａに形成されたねじ穴５４２，５４３，５４４に重なるように位置合わせされた状態で、当接面６１１が端面５４Ａに当接される。そして、貫通口６１２，６１３，６１４からねじ（図示省略）が挿入され、図３に示すように、プリズムベース６が支持体５４に固定される。
【００３９】
この際、図８及び図９に示すように、板状部材５３に設けられた挿入部５３１が、プリズムベース６に設けられた凹部６１７に挿入される。そして、凹部６１７に収納された弾性部材７は、図９に示すように、挿入部５３１と底面部６１８及び凸部６１９との間でＺ方向に沿って押圧され変形される。これにより、弾性部材７が、挿入部５３１と底面部６１８との双方に密着し、プリズムベース６と、グランドに接続された板状部材５３とが電気的に接続される。
【００４０】
［実施形態の効果］
以上説明した本実施形態に係るプロジェクター１によれば、以下の効果がある。
プロジェクター１では、内部にて接地された金属部材としての板状部材５３と、支持部材としてのプリズムベース６を導通させることができる。これにより、プリズムベース６を確実に接地できる。このプリズムベース６は、色合成装置４５５及び光変調装置としての液晶パネル４５３を保持している。従って、プリズムベース６、ひいては電気光学装置４５を接地できるので、電気光学装置４５が帯電することを抑制できる。これにより、電気光学装置４５、例えば液晶パネル４５３が帯電することによる画質の劣化を抑制できる。
【００４１】
ここで、支持体５４へのプリズムベース６の取付方向と、プリズムベース６と板状部材５３との接続方向が異なる場合には、何等かの理由により、支持体５４に取り付けられたままプリズムベース６が動いた場合に、プリズムベース６と板状部材５３との電気的な接触が解消されてしまう可能性がある。
これに対し、プロジェクター１は、プリズムベース６が取り付けられる取付部材としての支持体５４を備え、プリズムベース６と板状部材５３との接続方向と、支持体５４へのプリズムベース６の取付方向とが略平行である。これにより、支持体５４に取り付けられたプリズムベース６と板状部材５３とを確実に導通させることができる。従って、プリズムベース６、ひいては、電気光学装置４５をより確実に接地できる。
【００４２】
プロジェクター１では、プリズムベース６及び板状部材５３が、導電性を有する弾性部材７を介して接触することで導通される。これにより、当該弾性部材７がない場合に比べて、プリズムベース６と板状部材５３とをより確実に導通させることができる。従って、プリズムベース６、ひいては、電気光学装置４５をより確実に接地できる。
【００４３】
プリズムベース６は、板状部材５３に対向する当接面６１１に弾性部材７を収納する凹部６１７を有する。
これにより、弾性部材７が凹部６１７に収納された状態で、プリズムベース６及び板状部材５３に押圧されるので、弾性部材７の脱落を抑制できる。従って、プリズムベース６、ひいては、電気光学装置４５をより確実に接地できる。また、凹部６１７内に収納された弾性部材７が挿入部５３１により押圧されるので、当該弾性部材７の弾性変形により、部品公差を吸収でき、これにより、プリズムベース６と板状部材５３との導通を確実に図ることができる。
【００４４】
プリズムベース６は、支持体５４に当接する当接面６１１に凹部６１７が形成され、支持体５４へのプリズムベース６の取付方向に、弾性部材７が押圧される。従って、プリズムベース６の取付方向と、弾性部材の押圧方向とが略平行であるので、プリズムベース６、ひいては、電気光学装置４５をより確実に接地できる。
また、当接面６１１により規定されるプリズムベース６の取り付け位置に対して、当接面６１１に交差する交差方向における凹部６１７の寸法（深さ寸法）を適宜設定することにより、上記取り付け位置に対して弾性部材７の交差方向における位置を規定できる。これにより、プリズムベース６及び板状部材５３との導通を確実に図ることができ、プリズムベース６、ひいては、電気光学装置４５をより確実に接地できる。
また、プリズムベース６を取り付ける際に、プリズムベース６の取付方向に沿って挿入部５３１が挿入されて弾性部材７が当該取付方向に押圧される。このため、プリズムベース６の取り付けを行うとともに、プリズムベース６と板状部材５３との導通を図ることができる。
また、交差方向における挿入部５３１の先端と、凹部６１７との間のクリアランスに弾性部材７を配置することにより、挿入部５３１及び凹部６１７の寸法が設計値（理想値）に対して誤差が生じたとしても、弾性部材７の変形によって当該誤差による導通不良の発生を抑制できる。
【００４５】
プリズムベース６は、板状部材５３との導通位置を少なくとも除く表面に非導電処理、本実施形態ではアルマイト処理が施されている。これにより、プリズムベース６の表面を保護膜で覆うことにより、プリズムベース６の耐腐食性を向上させることができる。従って、プロジェクターの長寿命化を図りつつ、電気光学装置４５を確実に接地できる。
【００４６】
プリズムベース６は、移動装置としての投射位置調整装置５に取り付けられている。これにより、投射レンズ３に対するプリズムベース６の位置合わせと、プリズムベース６の接地とを同時に行うことができる。また、板状部材５３は、投射位置調整装置５を構成する部材であるので、プリズムベース６と接続される金属部材を別途設ける必要がない。このため、部品点数の増加を抑制できる。
【００４７】
［実施形態の変形］
本発明は上記実施形態に限定されず、上記各実施形態を適宜組み合わせてもよく、本発明の目的を達成できる範囲での変形、改良等は本発明に含まれるものである。
上記実施形態では、プリズムベース６は、投射位置調整装置５の支持体５４にねじ留めされる構成を例示したが、本発明はこれに限定されず、接着剤により接着固定したり、把持部材に取り付け対象の支持体５４とともに把持される構成としてもよい。
また、プリズムベース６が支持体５４に固定される構成に限定されず、板状部材５３に直接固定してもよい。なお、支持体５４は、樹脂材料で形成されているため、プリズムベース６を支持体５４に設けた場合、衝撃等が加わった際にプリズムベース６に付与される力を緩和できる点で好ましい。
また、プリズムベース６が投射位置調整装置５に取り付けられる構成に限定されず、他の部材に取り付けられる構成を採用してもよい。例えば、投射位置調整装置５に代えて、当該投射光学装置を移動させずに支持する支持構造体を採用し、当該支持構造体にプリズムベース６を取り付ける構成としてもよい。
【００４８】
また、プリズムベース６の取付方向と、プリズムベース６及び板状部材５３との接続方向とが略平行（本実施形態ではいずれもＺ方向）である構成を例示したが、本発明はこれに限定されない。すなわち、プリズムベース６の取付方向と、プリズムベース６及び板状部材５３との接続方向とが互いに交差する構成でもよい。例えば、プリズムベース６の取付方向をＺ方向とし、プリズムベース６及び板状部材５３との接続方向をＹ方向とする構成としてもよい。
【００４９】
上記実施形態では、樹脂材料を用いて矩形状に形成された弾性部材７をプリズムベース６及び板状部材５３で挟持することで、プリズムベース６及び板状部材５３を導通させる構成を例示したが、本発明はこれに限定されない。例えば、弾性部材７は、樹脂材料に限定されず、金属材料等、弾性及び導電性を有する材料で形成されていればよい。また、弾性部材７は、矩形状に限らず、板ばねや、コイルスプリング等の各種の形状の弾性部材を採用してもよい。
また、弾性部材７が、別体ではなく、プリズムベース６及び板状部材５３のいずれかの一部に設けられた板ばね等の弾性部材であってもよい。
【００５０】
上記実施形態では、当接面６１１に設けられた凹部６１７に弾性部材７を収納する構成を例示したが、本発明はこれに限定されない。例えば、凹部が板状部材５３に設けられ、プリズムベース６に挿入部が設けられる構成としてもよい。また、例えば、凹部６１７を設けずに、当接面６１１と板状部材５３との間で弾性部材７を挟持する構成としてもよい。
上記実施形態では、弾性部材７を介して、プリズムベース６及び板状部材５３が導通する構成を例示したが、本発明はこれに限定されない。すなわち、弾性部材７を備えず、プリズムベース６及び板状部材５３を直接当接させる構成としてもよい。
【００５１】
上記実施形態では、１つの光源装置４１を備える構成を例示したが、本発明はこれに限らない。例えば、光源装置を２つ以上備える構成としてもよい。
上記実施形態では、プロジェクター１は、光変調装置として３つの液晶パネル４５３を備える構成としたが、本発明はこれに限らない。すなわち、２つ以下、あるいは、４つ以上の液晶パネルを光変調装置として備えるプロジェクターにも、本発明を適用可能である。
上記実施形態において、光学ユニット４は、図２に示した形状を有する構成としたが、これに限らず、例えば、平面視略Ｉ字形状や平面視略Ｕ字形状を有した構成を採用してもよい。
【００５２】
上記実施形態では、光入射面と光出射面とが異なる透過型液晶パネルを有する光変調装置を採用した。しかしながら、本発明はこれに限らず、光入射面と光出射面とが同一となる反射型液晶パネルを有する反射型光変調装置を採用してもよい。また、入射光束を変調して画像情報に応じた画像を形成可能な光変調装置であれば、マイクロミラー表示素子など、液晶以外の光変調装置を用いてもよい。
また、上記実施形態では、フロント投射型のプロジェクターの例のみを挙げたが、本発明は、スクリーンを備え、該スクリーンの裏面側から投射を行うリアタイプのプロジェクターにも適用可能である。
【符号の説明】
【００５３】
１…プロジェクター、３…投射レンズ（投射光学装置）、５…投射位置調整装置（移動装置）、６…プリズムベース（支持部材）、７…弾性部材、４１…光源装置、４５…電気光学装置（光学装置）、５３…板状部材（金属部材）、５４…支持体（取付部材）、４５３…液晶パネル（光変調装置）、４５５…色合成装置、５３１…挿入部、６１１…当接面、６１７…凹部。
【図１】
2015184354.tif 000003
【図２】
2015184354.tif 000004
【図３】
2015184354.tif 000005
【図４】
2015184354.tif 000006
【図５】
2015184354.tif 000007
【図６】
2015184354.tif 000008
【図７】
2015184354.tif 000009
【図８】
2015184354.tif 000010
【図９】
2015184354.tif 000011